(57)【特許請求の範囲】
【請求項１】
無段階速度制御装置が制御する回転数を２段以上の多段変速にて無段階調整にて設定する巻上下電動機の手元操作装置であって、
無段階速度制御装置による巻上下電動機の巻上下げ制御を切り換えるとともに、巻上下電動機の回転数を１段押しでは１段目の変速速度、２段押し以降では押す段数に併せた２段目以降の変速速度に切り換える多段押込みスイッチＰＢ１、ＰＢ２と、
前記多段押込みスイッチＰＢ１、ＰＢ２により切り換えられた各変速速度を各々の速度範囲内において設定し、低速速度を無段階調整する可変抵抗器ＶＲ１および高速速度を無段階調整する可変抵抗器ＶＲ２を互いに直列接続した可変抵抗器群とを備え、
前記可変抵抗器ＶＲ１の可変端子をインバータの端子に接続するとともに、巻上用多段押込みスイッチＰＢ１および巻下用多段押込みスイッチＰＢ２それぞれの１段目接点に接続し、可変抵抗器ＶＲ２の可変端子を巻上用多段押込みスイッチＰＢ１および巻下用多段押込みスイッチＰＢ２のそれぞれの２段目の接点に接続し、
多段押込みスイッチＰＢ１、ＰＢ２の２段目以降の接点を前記抵抗器群の各抵抗器の切換接点とし、且つ、この切換接点を通じて他の抵抗器への電流の回り込みを防ぐためのダイオードを設け、多段押込みスイッチの多段押しに連動して抵抗器を直接切換えることを特徴とする巻上下電動機の手元操作装置。
【請求項２】
無段階速度制御装置が制御する回転数を２段以上の多段変速にて無段階調整にて設定する巻上下電動機の手元操作装置であって、
無段階速度制御装置による巻上下電動機の巻上下げ制御を切り換えるとともに、巻上下電動機の回転数を１段押しでは１段目の変速速度、２段押し以降では押す段数に併せた２段目以降の変速速度に切り換える多段押込みスイッチＰＢ１、ＰＢ２と、
前記多段押込みスイッチＰＢ１、ＰＢ２により切り換えられた各変速速度を各々の速度範囲内において設定し、低速速度を無段階調整する可変抵抗器ＶＲ１、中速速度を無段階調整する可変抵抗器ＶＲ２、および高速速度を無段階調整する可変抵抗器ＶＲ３を互いに直列接続した可変抵抗器群とを備え、
前記可変抵抗器ＶＲ１の可変端子をインバータの端子に接続するとともに、巻上用多段押込みスイッチＰＢ１および巻下用多段押込みスイッチＰＢ２それぞれの１段目接点に接続し、可変抵抗器ＶＲ２の可変端子を巻上用多段押込みスイッチＰＢ１および巻下用多段押込みスイッチＰＢ２のそれぞれの２段目の接点に接続し、
可変抵抗器ＶＲ３の可変端子を巻下用多段押込みスイッチＰＢ１および巻下用多段押込みスイッチＰＢ２のそれぞれの３段目に接続し、
多段押込みスイッチＰＢ１、ＰＢ２の２段目以降の接点を前記抵抗器群の各抵抗器の切換接点とし、且つ、この切換接点を通じて他の抵抗器への電流の回り込みを防ぐためのダイオードを設け、多段押込みスイッチの多段押しに連動して抵抗器を直接切換えることを特徴とする巻上下電動機の手元操作装置。
【発明の詳細な説明】
【０００１】
【発明の属する技術分野】
この出願の発明は、巻上下電動機の手元操作装置に関するものである。さらに詳しくは、この出願の発明は、インバータ等により制御する電動チェーンブロックなどの巻上下電動機の回転数を多段変速にて、且つ各変速速度を無段階調整にて設定操作することのできる、新しい巻上下電動機の手元操作装置に関するものである。
【０００２】
【従来の技術】
従来、電動チェーンブロック等の巻上下電動機を操作する装置としては、たとえばこの出願の出願人が先に特許出願した特公平３−６２６３７号がある。
【０００３】
特公平３−６２６３７号に開示された操作装置は、図８に例示したように、高低速切換用スイッチ（ア）、高速調整用ボリューム（イ）および低速調整用ボリューム（ウ）を備え、高低速切換用スイッチ（ア）の高速Ｈまたは低速Ｌの切換えにより巻上下電動機の直流モータ（エ）を高速または低速に切り換え、さらに高速調整用ボリューム（イ）の回転により高速範囲で巻上下電動機の高速速度を無段階で調整する、または低速調整用ボリューム（ウ）の回転により低速範囲で巻上下電動機の低速速度を無段階で調整するものであり、作業者が任意の速度で巻上下電動機を操作できるなどといった優れた効果を実現している。
【０００４】
【解決しようとする課題】
しかしながら、この従来の操作装置にもさらに改良すべき点のあることが見い出された。すなわち、高速および低速を切り換える高低速切換用スイッチ（ア）を必要とするという点である。
【０００５】
従来の操作装置は、高低速切換用スイッチ（ア）の他にも、上述した高速調整用ボリューム（イ）および低速調整用ボリューム（ウ）はもちろんのこと、巻上下電動機の直流モータ（エ）の正転および逆転を切り換える、つまり巻上げおよび巻下げ動作を切り換えるスイッチ類を必要とし、これらとともに高低速切換用スイッチ（ア）を操作装置本体に組み込むと、大型化の原因となり、また巻上下電動機およびその回転数を制御する速度制御装置とを備えた巻上下装置本体と作業者が手に持って操作する操作装置本体とを接続するケーブルの芯数も増えて、コストアップにつながってしまうのである。
【０００６】
そこで、この出願の発明は、以上のとおりの事情に鑑みてなされたものであり、従来技術を改良し、高速・低速切換えなどの多段変速用の切換スイッチを他のスイッチ類とは別体として用いる必要がなく、小型化やコストダウンを図ることのできる、巻上下電動機の新しい手元操作装置を提供することを課題とする。
【０００７】
【課題を解決する手段】
この出願の発明は、上記の課題を解決するものとして、無段階速度制御装置が制御する回転数を２段以上の多段変速にて無段階調整にて設定する巻上下電動機の手元操作装置であって、
無段階速度制御装置による巻上下電動機の巻上下げ制御を切り換えるとともに、巻上下電動機の回転数を１段押しでは１段目の変速速度、２段押し以降では押す段数に併せた２段目以降の変速速度に切り換える多段押込みスイッチＰＢ１、ＰＢ２と、
前記多段押込みスイッチＰＢ１、ＰＢ２により切り換えられた各変速速度を各々の速度範囲内において設定し、低速速度を無段階調整する可変抵抗器ＶＲ１および高速速度を無段階調整する可変抵抗器ＶＲ２を互いに直列接続した可変抵抗器群とを備え、
前記可変抵抗器ＶＲ１の可変端子をインバータの端子に接続するとともに、巻上用多段押込みスイッチＰＢ１および巻下用多段押込みスイッチＰＢ２それぞれの２段目接点に接続し、可変抵抗器ＶＲ２の可変端子を巻上用多段押込みスイッチＰＢ１および巻下用多段押込みスイッチＰＢ２それぞれの２段目の接点に接続し、
多段押込みスイッチＰＢ１、ＰＢ２の２段目以降の接点を前記抵抗器群の各抵抗器の切換接点とし、且つ、この切換接点を通じて他の抵抗器への電流の回り込みを防ぐためのダイオードを設け、多段押込みスイッチの多段押しに連動して抵抗器を直接切換えることを特徴とする巻上下電動機の手元操作装置（請求項１）を提供する。
【０００８】
また、この出願の発明は、可変抵抗器群は、低速用、中速用及び高速用抵抗器を有すること（請求項２）をも提供する。
【０００９】
【発明の実施の態様】
この出願の発明は上記のとおりの特徴を有するものであるが、以下に、添付した図面に沿って実施例を示し、さらにこの出願の発明の実施の態様について説明する。
【００１０】
【実施例】
［実施例１］
図１は、この出願の発明の手元操作装置の一実施例を示した回路構成図である。
【００１１】
たとえばこの図１に例示した手元操作装置は、無段階調整制御装置が制御する巻上下電動機（５）の回転数を２段変速にて、且つ１段目および２段目の変速速度を無段階調整にて設定するものとなっており、その操作回路部（１）には、無段階調整制御装置による巻上下電動機（５）の巻上げおよび巻下げ制御を切り換えるとともに、巻上下電動機（５）の回転数を１段押しでは１段目の変速速度、２段押しでは２段目の変速速度に切り換える多段押込みスイッチとして、巻上用多段押込みスイッチＰＢ１および巻下用多段押込みスイッチＰＢ２が備えられており、また、多段押込みスイッチにより切り換えられた各変速速度を各々の速度範囲内において設定する抵抗器群として、互いに直列接続された速度無段階調整用の可変抵抗器ＶＲ１および可変抵抗器ＶＲ２が備えられている。
【００１２】
そして、巻上用多段押込みスイッチＰＢ１および巻下用多段押込みスイッチＰＢ２の２段目の接点が可変抵抗器ＶＲ１および可変抵抗器ＶＲ２の切換接点とされ、且つ、この切換接点を通じて可変抵抗器ＶＲ１への電流の回り込みを防ぐためのダイオードが設けられ、巻上用多段押込みスイッチＰＢ１および巻下用多段押込みスイッチＰＢ２の２段押しに連動して可変抵抗器ＶＲ１および可変抵抗器ＶＲ２の相互切換えが直接行われるようになっている。
【００１３】
図１の例では、無段階速度制御装置として、交流電源（４）からの入力交流電力の周波数を調整して巻上下電動機（５）の回転数を制御するインバータ（３）が用いられており、上記構成を有する操作回路部（１）は、信号線（２）を介してこのインバータ（３）に接続されており、操作回路部（１）からの各種アナログ信号をインバータ（３）へ送り、そのアナログ信号によってインバータ（３）による巻上下電動機（５）の巻上げおよび巻下げ制御ならびに周波数制御を変更指示するものとなっている。
【００１４】
図１中のインバータ（３）において、Ｓ１は巻上げ運転指令端子、Ｓ２は巻下げ運転指令端子、ＳＣは運転指令コモン端子であって、信号線（２）を介して巻上用多段押込みスイッチＰＢ１および巻下用多段押込みスイッチＰＢ２が接続されており、ＦＳは周波数指令電源（たとえば＋１２Ｖ）、ＦＲは運転周波数指令端子、ＦＣは周波数指令コモン端子（たとえば０Ｖ）であって、信号線（２）を介して可変抵抗器ＶＲ１および可変抵抗器ＶＲ２に接続されており、運転周波数指令端子ＦＲにかかる電圧を調整可能な回路としている。なお、このインバータ（３）の異常時にリセットをかけるリセットボタンが操作回路部（１）に設けられていてもよい。
【００１５】
この場合さらに説明すると、まず、巻上用多段押込みスイッチＰＢ１および巻下用多段押込みスイッチＰＢ２はそれぞれ２段押込み式であり、１段押しでは、１段目の接点のみがＯＮとされて、１段目の変速速度（本実施例では低速）での巻上げおよび巻下げを切り換え、２段押しでは、１段目の接点はＯＮのままに２段目の接点がＯＮとされて、２段目の変速速度（本実施例では高速）での巻上げおよび巻下げを切り換えるようになっている。すなわち、両スイッチは、巻上げ・巻下げの切換えスイッチと変速速度の切換えスイッチとの二つの役割を同時に果している。なお、図中、巻上用多段押込みスイッチＰＢ１および巻下用多段押込みスイッチＰＢ２の間のＸ印はインターロック機構を示しており、両スイッチの同時押しを防いでいる。
【００１６】
この押し段数に従った変速速度の切換えは、巻上用多段押込みスイッチＰＢ１および巻下用多段押込みスイッチＰＢ２の２段目接点と、可変抵抗器ＶＲ１および可変抵抗器ＶＲ２の切換接点とが共用されていることで実現される。
【００１７】
より具体的には、低速速度をその速度範囲内において無段階調整するための可変抵抗器ＶＲ１および高速速度をその速度範囲内において無段階調整するためのｐ可変抵抗器ＶＲ２は互いに直列接続されており、可変抵抗器ＶＲ１の他方の端子はインバータ（３）の周波数指令コモン端子ＦＣに接続され、可変抵抗器ＶＲ２の他方の端子はインバータ（３）の周波数指令電源ＦＳに接続されている。
【００１８】
また、可変抵抗器ＶＲ１の可変端子はインバータ（３）の運転周波数指令端子ＦＲに接続されているとともに巻上用多段押込みスイッチＰＢ１および巻下用多段押込みスイッチＰＢ２それぞれの２段目接点に接続されており、可変抵抗器ＶＲ２の可変端子は巻上用多段押込みスイッチＰＢ１および巻下用多段押込みスイッチＰＢ２それぞれの２段目の接点に接続されている。
【００１９】
そして、２段目接点がＯＮにされると、可変抵抗器ＶＲ２の可変端子とインバータ（３）の運転周波数指令端子ＦＲが導通する。
【００２０】
このとき、可変抵抗器ＶＲ１の可変端子は運転周波数指令端子ＦＲに接続されたままとなっているが、ダイオードＤ１が設けられているため、電流は周波数指令電源ＦＳから２段目接点を通して可変抵抗器ＶＲ１の可変端子には流れ込まないようになっている。
【００２１】
この構成において、巻上用多段押込みスイッチＰＢ１または巻下用多段押込みスイッチＰＢ２の１段押し時では、可変抵抗器ＶＲ１の可変接続端子のみがインバータ（３）の運転周波数指令端子ＦＲに接続されることになり、任意に調整した可変抵抗器ＶＲ１の抵抗値に従うアナログ信号となって、インバータ（３）の制御周波数が変更される。これにより、可変抵抗器ＶＲ１にて設定された低速速度での巻上下電動機（５）の巻上げ・巻下げ運転が行われる。
【００２２】
２段押し時では、可変抵抗器ＶＲ２の可変接続端子がインバータ（３）の運転周波数指令端子ＦＲに接続されることになり、任意に調整した可変抵抗器ＶＲ２の抵抗値に従うアナログ信号となって、インバータ（３）の制御周波数が変更される。これにより、可変抵抗器ＶＲ２にて設定した高速速度での巻上下電動機（５）の巻上げ・巻下げ運転が行われる。
【００２３】
もちろん、可変抵抗器ＶＲ１の可変端子に設けられたダイオードＤ１によって、２段押し時のアナログ信号は可変抵抗器ＶＲ１の可変抵抗値には左右されず、高速と低速の周波数が逆転することはない。
【００２４】
可変抵抗器ＶＲ１および可変抵抗器ＶＲ２による速度調整範囲は、低速０％〜Ｘ％、高速Ｘ％〜１００％となり、Ｘは両者の抵抗値比に応じて決定される。たとえば最大抵抗値が同じ可変抵抗器とすれば、Ｘ％＝５０％となり、最高速度の下半分が低速として可変抵抗器ＶＲ１により調整され、上半分が高速として可変抵抗器ＶＲ２により調整される。もちろんＸは任意の値である。
【００２５】
この出願の発明の手元操作装置は、上述した通りの接点共有およびダイオードの追加のみで、インバータ（３）等の無段階速度制御装置が制御する巻上下電動機（５）の巻上下げの回転数を多段変速、且つ各変速速度の無段階調整にて設定可能となり、従来の操作装置のような変速切換用スイッチを他のスイッチ類とは別体として用いる必要がなく、小型化やコストダウンを効果的に実現することができるのである。
【００２６】
［実施例２］
図２および図３は、各々、上述の操作回路部（１）を組込んだ手元操作装置の外観を例示した概略図およびそのＨ−Ｈ線断面図である。これら図２および図３の例では、手元操作装置本体（１０）に、巻上用多段押込みスイッチＰＢ１および巻下げ多段押込みスイッチＰＢ２に対応した巻上げ用多段押込みボタン（１１ａ）および巻下げ用多段押込みボタン（１１ｂ）が設けられており、また、可変抵抗器ＶＲ１および可変抵抗器ＶＲ２に対応した低速調整用ボリュームツマミ（１２ａ）および高速調整用ボリュームツマミ（１２ｂ）が設けられている。手元操作装置本体（１０）自体は、図１中の信号線（２）等が内在したケーブル（２０）によって巻上下電動機に接続されている。
【００２７】
巻上下電動機のオペレータは、この手元操作装置本体（１０）にて巻上げ用多段押込みボタン（１１ａ）、巻下げ用多段押込みボタン（１１ｂ）、低速調整用ボリュームツマミ（１２ａ）、高速調整用ボリュームツマミ（１２ｂ）の操作を様々に組み合わせることで、上述した通りのインバータ等の無段階速度制御装置への指示により、巻上下電動機を自在に設定した運転速度にて巻上げ・巻下げ操作することができる。
【００２８】
［実施例３］
図４は、この出願の発明の手元操作装置の別の一実施例を示した回路図である。この図４に例示した手元操作装置は、インバータ（３）が制御する巻上下電動機（５）の回転数を３段変速にて、且つ低速速度、中速速度および高速速度それぞれを無段階調整にて設定するものであり、図１を３段変速対応に変更した構成を有している。
【００２９】
この場合さらに説明すると、操作回路部（１）には、３段押込み式の巻上用多段押込みスイッチＰＢ１および巻下用多段押込みスイッチＰＢ２が備えられており、また、巻上用多段押込みスイッチＰＢ１および巻下用多段押込みスイッチＰＢ２により切り換えられる１段目の変速速度である低速、二段目の変速速度である中速、および三段目の変速速度である高速を各々の速度範囲内において無段階調整する可変抵抗器ＶＲ１、可変抵抗器ＶＲ２、および可変抵抗器ＶＲ３が互いに直列接続にて備えられている。当然、各ボリュームの抵抗値は適切なものに変更されている。
【００３０】
そして、図１の２段変速の場合と同様な結線により、巻上用多段押込みスイッチＰＢ１および巻下用多段押込みスイッチＰＢ２の２段目接点と可変抵抗器ＶＲ１および可変抵抗器ＶＲ２の切換接点とが共用され、且つ、巻上用多段押込みスイッチＰＢ１および巻下用多段押込みスイッチＰＢ２の３段目接点と可変抵抗器ＶＲ２および可変抵抗器ＶＲ３の切換接点とが共用されている。また、可変抵抗器ＶＲ１および可変抵抗器ＶＲ２それぞれの可変端子には２段押し時および３段押し時における電流の回り込みを防ぐためのダイオードＤ１およびＤ２が設けられている。
【００３１】
これにより、巻上用多段押込みスイッチＰＢ１および巻下用多段押込みスイッチＰＢ２はそれぞれ１段押しでは低速、２段押しでは中速、３段押しでは高速での巻上げおよび巻下げを切り換え、可変抵抗器ＶＲ１、可変抵抗器ＶＲ２および可変抵抗器ＶＲ３はそれぞれ１段押し時、２段押し時および３段押し時にのみアナログ信号をインバータ（３）へ送るように結線されることになる。
【００３２】
したがって、インバータ（３）を介して、一段押し時には可変抵抗器ＶＲ１により指示された周波数での低速運転が行なわれ、２段押し時には可変抵抗器ＶＲ２により指示された周波数での中速運転が行われ、３段押し時には可変抵抗器ＶＲ２により指示された周波数での高速運転が行われるのである。
【００３３】
もちろん、本実施例においても、ダイオードＤ１およびＤ２によって２段押し時および３段押し時のアナログ信号は可変抵抗器ＶＲ１およびＶＲ２の可変抵抗値には左右されず、低速、中速、高速の周波数が逆転することはない。
【００３４】
以上の実施例１および実施例３から分かるように、この出願の発明の手元操作装置は、低速・高速の２段変速だけでなく、２段以上の変速制御が可能となり、より細かな運転速度での巻上下電動機の操作を実現できるのである。もちろん段数を増やしても、多段押込みボタン用の信号線の芯数が増えることもなく、効果的な小型化およびコストダウン化が図れる。
【００３５】
［実施例４］
図５は、この出願の発明の手元操作装置のさらに別の一実施例を示した回路図である。この図５に例示した手元操作装置は、図１の２段変速対応のものにおいて、低速のみを可変抵抗器ＶＲ１により無段階調整可能とし、高速設定用には固定抵抗器Ｒ２を用いた構成となっている。
【００３６】
２段押込み式の巻上用多段押込みスイッチＰＢ１および巻下用多段押込みスイッチＰＢ２の２段目接点と各抵抗器の切換接点が共用されていること、およびダイオードＤ１が可変抵抗器ＶＲ１の可変端子に設けられていることは、図１と同様であるが、２段目接点に結線される抵抗器Ｒ２の端子はインバータ（３）の周波数指令電源ＦＳに接続されている端子から分岐したものとなっている。
【００３７】
この場合の巻上げ・巻下げおよび変速の切換動作については、図１のものと同様である。但し、可変抵抗器ＶＲ１の低速調整範囲は０％〜Ｘ％、高速速度は１００％として、低速のみが可変抵抗器ＶＲ１にて無段階調整可能とされ、高速は一定の速度となる。このときのＸ％は可変抵抗器ＶＲ１および抵抗器Ｒ２との抵抗値比によって決まる。
【００３８】
［実施例５］
図６は、この出願の発明の手元操作装置のさらに別の一実施例を示した回路図である。この図６に例示した手元操作装置は、図１の２段変速対応のものにおいて、高速のみを可変抵抗器ＶＲ２により無段階調整可能とし、低速設定用には固定抵抗器Ｒ１を用いた構成となっている。すなわち、図５の場合と逆である。
【００３９】
２段押込み式の巻上用多段押込みスイッチＰＢ１および巻下用多段押込みスイッチＰＢ２の２段目接点と各抵抗器の切換接点が共用されていること、および２段押し時にて抵抗器Ｒ１への電流の巻き込みを防ぐダイオードＤ１が設けられていることは、図１と同様であるが、２段目接点に結線される抵抗器Ｒ１の端子は可変抵抗器ＶＲ２との直列接続端子から分岐したものであり、この分岐線にダイオードＤ１が設けられている。
【００４０】
この場合の巻上げ・巻下げおよび変速の切換動作については、図１のものと同様である。但し、可変抵抗器ＶＲ２の高速調整範囲はＸ％〜１００％、低速速度はＸ％として、高速のみが可変抵抗器ＶＲ２にて無段階調整可能とされ、低速は一定の速度となる。このときのＸ％は可変抵抗器ＶＲ２および抵抗器Ｒ１との抵抗値比によって決まる。
【００４１】
以上の図４、図５、図６の操作回路部（１）を組み込んだ手元操作装置は、たとえば、図１の操作回路部（１）を組み込んだ図２および図３に例示したものと同様な構成とすることができる。巻上げ用多段押込みボタン（１１ａ）および巻下げ用多段押込みボタン（１１ｂ）を３段押込み式としたり（図４に対応）、あるいは中速調整用ボリュームツマミを追加したり（図５に対応）、あるいは低速調整用ボリュームツマミ（１２ａ）および高速調整用ボリュームツマミ（１２ｂ）のいずれか一方を設ける（図６および図７に対応）といった構成変更を行えばよい。
【００４２】
［実施例６］
図７は、この出願の発明の操作対象となる巻上下電動機の一例である電動チェーンブロック（１００）を例示したものである。
【００４３】
この図７において、（１０１）はチェーン、（１０２）は本体部、（１０３）はモータ部、（１０４）は電装部、（１０５）は電装カバー、（１０６）は収納箱、（１０７）は本体部（１０３）を天井や支持体等に引っ掛けるフック、（１０８）はチェーン（１０１）にて吊る物を引っ掛けるフックである。また、（１１０）はこの出願の発明の手元操作装置であり、ケーブル（１０９）を介して電動チェーンブロック（１００）から吊り降ろされている。
【００４４】
たとえば、手元操作装置（１１０）が図２および図３の構成を有するものである場合、巻上げ用多段押込みボタン（１１ａ）、巻下げ用多段押込みボタン（１１ｂ）、低速調整用ボリュームツマミ（１２ａ）、高速調整用ボリュームツマミ（１２ｂ）の操作がアナログ信号としてケーブル（１０９）内の信号線（２）（図１等参照）から電動チェーンブロック（１００）内のインバータ（図示していない）へ伝わり、モータ部（１０３）が運転制御される。なお、インバータはたとえば電装部（１０４）あるいはモータ部（１０３）に組み込まれている。
【００４５】
もちろん、この出願の発明が操作対象とする巻上下電動機は、上記電動チェーンブロック（１００）に限定されず、巻上げおよび巻下げ動作を行うその他種々の電動機であればよい。
【００４６】
この発明は以上の例に限定されるものではなく、細部については様々な態様が可能である。
【００４７】
【発明の効果】
以上詳しく説明したとおり、この出願の発明によって、小型化やコストダウンを図ることができ、２段以上の多段変速を自在に調整可能な、巻上下電動機の新しい手元操作装置が提供される。
【図面の簡単な説明】
【図１】この出願の発明の手元操作装置の一実施例を示した回路構成図である。
【図２】この出願の発明の手元操作装置の一実施例を示した概略構成図である。
【図３】図２の手元操作装置のＨ−Ｈ線断面図である。
【図４】この出願の発明の手元操作装置の別の一実施例を示した回路構成図である。
【図５】この出願の発明の手元操作装置のさらに別の一実施例を示した回路構成図である。
【図６】この出願の発明の手元操作装置のさらに別の一実施例を示した回路構成図である。
【図７】この出願の発明の操作対象となる巻上下電動機の一例である電動チェーンブロックを例示した図である。
【図８】従来の操作装置を例示した回路図である。
【符号の説明】
１  操作回路部
２  信号線
３  インバータ
４  交流電源
５  巻上下電動機
１０  手元操作装置本体
１１ａ  巻上用多段押込みスイッチ
１１ｂ  巻下用多段押込みスイッチ
１２ａ  低速調整用ボリュームツマミ
１２ｂ  高速調整用ボリュームツマミ
２０  ケーブル
１００  電動チェーンブロック
１０１  チェーン
１０２  本体部
１０３  モータ部
１０４  電装部
１０５  電装カバー
１０６  収納箱
１０７  フック
１０８  フック
１０９  ケーブル
１１０  手元操作装置
【図１】
0004043196.tif 000002
【図２】
0004043196.tif 000003
【図３】
0004043196.tif 000004
【図４】
0004043196.tif 000005
【図５】
0004043196.tif 000006
【図６】
0004043196.tif 000007
【図７】
0004043196.tif 000008
【図８】
0004043196.tif 000009